(57)【要約】【課題】本発明は、インターネットのウェブを利用して発注者が技術事項を入力するのみで、企業の選定と製品製作の打合せ及び発注を行うことを目的とする。【解決手段】本発明は、遠隔地間での同時協調作業支援方法は、インターネット（２０）のウェブ（２１）上に発注者（１）が発注製品の技術事項（３）を指定することにより、その製品を製作するのに好適な登録企業（１０Ａ〜１０Ｈ）が選択され、ウェブ（２１）上の遠隔ＴＶ会議システム（１０１）で発注者（１）とプロジェクトリーダ企業（１００）との打合せ及び受発注を行うことができる方法である。【選択図】        図１
2005043993.tif 000002
【特許請求の範囲】
【請求項１】
インターネット（２０）のウェブ（２１）上に発注者（１）が製品製作に関する複数の技術事項（３）を入力することにより、前記技術事項（３）に対して対応可能な技術を有する複数の登録企業（１０Ａ〜１０Ｈ…）が選択され、選択された前記各登録企業（１０Ａ〜１０Ｈ…）の中、予め設定された少なくとも企業規模、技術習熟度、稼働空状況及び顧客満足度に基づいて判断された最高位のプロジェクトリーダ企業（１００）及びプロジェクト企業群が自動選定され、前記ウェブ（２１）上の遠隔ＴＶ会議システム（１０１）で前記発注者（１）、プロジェクトリーダ企業（１００）及びプロジェクト企業群による製品製作の打合せを行うようにしたことを特徴とする遠隔地間での同時協調作業支援方法。
【請求項２】
前記技術事項（３）の各案件毎に、前記登録企業（１０Ａ〜１０Ｈ…）の中からプロジェクトを自動構築することを特徴とする請求項１記載の遠隔地間での同時協調作業支援方法。
【請求項３】
前記遠隔ＴＶ会議システム（１０１）に参加する前記発注者（１）、プロジェクトリーダ企業（１００）及びプロジェクト企業群に対し、前記インターネット（２０）を介して、前記遠隔ＴＶ会議システム（１０１）への通知メールが自動配信されることを特徴とする請求項１又は２記載の遠隔地間での同時協調作業支援方法。
【発明の詳細な説明】
【０００１】
【発明の属する技術分野】
本発明は、遠隔地間での同時協調作業支援方法に関し、特に、発注者はインターネットのウェブ上で製品製作依頼の技術事項を入力するだけで、その製品を製品化するのに最適な登録企業が自動選択されてプロジェクトリーダ企業が選ばれ、ウェブ上の遠隔ＴＶ会議システムで発注者を交えた打合せを行い、製品の製作発注を迅速に行うことができるようにするための新規な改良に関する。
【０００２】
【従来の技術】
従来、用いられていたこの種の遠隔地間での製品製作依頼に関する顧客、受注者及び請負間での情報の伝達は、図２のように行われ、この情報伝達を示すような特許文献等は特に存在していないので開示していない。
【０００３】
図２において符号１で示されるものは顧客である発注者であり、この発注者１は受注者２に対して発注内容である製品製作の技術内容３を伝達する。
前記受注者２は、請負Ａ４及び請負Ｂ５に対して受注した製品製作の技術的な内容について情報の交換を行う。
【０００４】
前記受注者２は、各請負Ａ、Ｂに対して各種の技術的な打合せを行い、互いに合意に達すると、受注者２は発注者１からの受注による製品製作が可能となり、発注者１に対して製品の完成時期を明示することが可能となる。
【０００５】
【発明が解決しようとする課題】
従来の遠隔地間での製品製作依頼の方法としては、以上のように構成されていたため、次のような課題が存在していた。
すなわち、発注者、受注者及び請負が各々電話やＦＡＸあるいはインターネットを使用して相互間の情報伝達を行っているだけであるため、３者間のリアルタイムな情報伝達は不可能であり、製品製作の迅速かつ十分な打合せが困難で、新たな技術及び製品の開発には大きい障害となっていた。
【０００６】
本発明は、以上のような課題を解決するためになされたもので、特に、発注者はインターネットのウェブ上で製品の製作依頼の技術事項を入力するだけで、その製品を製品化するのに最適な登録企業が自動選択されてプロジェクトリーダ企業が選ばれ、ウェブ上の遠隔ＴＶ会議システムで発注者を交えた打合せを行い、製品の製作発注を迅速に行うことができるようにした遠隔地間での同時協調作業支援方法を提供することを目的とする。
【０００７】
【課題を解決するための手段】
本発明による遠隔地間での同時協調作業支援方法は、インターネットのウェブ上に発注者が製品製作に関する複数の技術事項を入力することにより、前記技術事項に対して対応可能な技術を有する複数の登録企業が選択され、選択された前記各登録企業の中、少なくとも企業規模、技術習熟度、稼働空状況及び顧客満足度に基づいて判断された最高位のプロジェクトリーダ企業及びプロジェクト企業群が自動選定され、前記ウェブ上の遠隔ＴＶ会議システムで前記発注者、プロジェクトリーダ企業及びプロジェクト企業群による製品製作の打合せを行うようにした方法であり、また、前記技術事項の各案件毎に、前記登録企業の中からプロジェクトを自動構築する方法であり、また、前記遠隔ＴＶ会議システムに参加する前記発注者、プロジェクトリーダ企業及びプロジェクト企業群に対し、前記インターネットを介して、前記遠隔ＴＶ会議システムへの通知メールが自動配信される方法である。
【０００８】
【発明の実施の形態】
以下、図面と共に本発明による遠隔地間での同時協調作業支援方法の好適な実施の形態について説明する。尚、従来例と同一又は同等部分には同一符号を付して説明する。
尚、本発明におけるシステムにおいては、予め、製作しようとする製品の系統を選択するための、例えば、基板、プレス、光部品、モータ、精密機器、金型、スイッチ、コネクタ、端子、ケーブル等、詳細なスペック（材料、反射率、公差等）等からなる多くの技術事項３が全ての分野にわたって入力されている。
【０００９】
また、前述の多くの技術事項３に対して技術的に対応し、かつ、製作等が可能であるとして名乗りを挙げた多数の登録企業１０Ａ〜１０Ｈ・・・が予め登録して入力されており、少なくとも、企業規模、技術習熟度、稼働空状況、顧客満足度等から得られた獲得スコアによって企業順位が決定されている。尚、前述の各条件は一定時間又はリアルタイムで修正入力されている。
【００１０】
前述の各登録企業１０Ａ〜１０Ｈ・・・は、前述の獲得スコアによって、その技術の獲得及び保有の状況が詳細に入力設定されており、その結果、各登録企業１０Ａ〜１０Ｈに対する受注の優先度を決めた優先度低から優先度高の順に順位付けがなされている。
従って、図１に示された各登録企業１０Ａ〜１０Ｈ・・・は、左側が優先度が高く、右側は優先度が低いように配列されている。
【００１１】
次に、前述の構成において、顧客である発注者１は、インターネット２０のウェブ２１上で、製作発注したい製品製作である、例えば、光コネクタを発注する場合、この光コネクタに関するスペック概要（例えば、材料、反射率、公差など）等の技術事項３を入力すると、必要技術の自動選択が行われ、この技術事項３に対して対応可能な技術を有する複数の登録企業１０Ａ〜１０Ｈ・・・が選択される。
【００１２】
前述の自動選択された各登録企業１０Ａ〜１０Ｈ・・・の中、予め設定された少なくとも、企業規模、技術習熟度、稼働空状況及び顧客満足度に基づいて判断された最高位のプロジェクトリーダ企業１００及びプロジェクト企業群が自動選択され、前記ウェブ２１上の遠隔ＴＶ会議システム１０１で前記発注者１、プロジェクトリーダ企業１００及びプロジェクト企業群による製品製作の遠隔打合せが行われる。この遠隔打合せの結果、前記プロジェクトリーダ企業１００と発注者１との間で発注及び受注のインターネット２０によるビジネスが成立することになる。
【００１３】
また、前記技術事項３の各案件毎に、前記登録企業１０Ａ〜１０Ｈ・・・の中から所要のプロジェクトを自動構築することもできる。
【００１４】
また、前記遠隔ＴＶ会議システム１０１に参加する前記発注者１、プロジェクトリーダ企業１００及びプロジェクト企業群に対し、前記インターネット２０を介して、前記遠隔ＴＶ会議システム１０１への通知メールが自動配信され指定時間に遠隔会議ができるように構成されている。
【００１５】
【発明の効果】
本発明による遠隔地間での同時協調作業支援方法は、以上のように構成されているため、次のような効果を得ることができる。
すなわち、発注者はインターネットのウェブ上で製品の製作依頼の技術事項を入力するだけで、その製品を製品化するのに最適な登録企業が自動選択されてプロジェクトリーダ企業が選ばれ、ウェブ上の遠隔ＴＶ会議システムで発注者を交えた打合せを行い、製品の製作発注を迅速に行うことができる。
また、発注者はインターネットのウェブ上に発注製品に関する技術事項を入力するだけで、自動的に企業の選定及び打合せを行うことができ、発注者及び受注企業は、簡単かつ正確に技術事項及び見積もり等を正確に行うことができる。
【図面の簡単な説明】
【図１】本発明による遠隔地間での同時協調作業支援方法を示す構成図である。
【図２】従来方法を示す構成図である。
【符号の説明】
１    発注者
３    技術事項
１０Ａ〜１０Ｈ    登録企業
２０    インターネット
２１    ウェブ（ＷＥＢ）
１００    プロジェクトリーダ企業
１０１    遠隔ＴＶ会議システム
【図１】
2005043993.tif 000003
【図２】
2005043993.tif 000004